(57)【特許請求の範囲】
【請求項１】
電子部品を収容し、外形が直方体に形成された本体と、前記本体の少なくとも一部を覆うカバーとを備える電子機器の筐体であって、
前記本体は、吸気口を有する本体第１外面と、前記本体第１外面に対向する外面であって排気口を有する本体第２外面と、前記本体第１外面及び前記本体第２外面と異なる外面であり、他の対向し合う本体第３外面及び本体第４外面とを備え、
前記カバーは、前記本体第１外面上の少なくとも一部及び前記本体第２外面上の少なくとも一部をそれぞれ覆うカバー第１壁及びカバー第２壁を備え、
前記カバー第１壁の一部、及び前記カバー第２壁の一部に、それぞれ吸気口及び排気口を有し、
前記カバー第１壁及び前記カバー第２壁は、それぞれ前記本体第１外面上及び前記本体第２外面上に空隙を形成するとともに、前記カバー第１壁及び前記カバー第２壁が存在しない前記本体第３外面及び前記本体第４外面側に、前記空隙による通気口を形成し、
前記本体第１外面の前記吸気口又は前記本体第２外面の前記排気口の少なくとも一方、並びに前記カバー第１壁の前記吸気口及び前記カバー第２壁の前記排気口は、それぞれスリット状の開口部が複数並設されたものであり、
前記本体第１外面の前記吸気口と前記カバー第１壁の前記吸気口、又は前記本体第２外面の前記排気口と前記カバー第２壁の前記排気口の少なくとも一方の組合せにおいては、それぞれ前記スリット状の開口部の長手方向が異なる方向となるように配置されている
ことを特徴とする電子機器の筐体。
【請求項２】
請求項１に記載の電子機器の筐体において、
前記カバー第１壁及び前記カバー第２壁の外面側には、それぞれ所定の高さを有する脚部が設けられている
ことを特徴とする電子機器の筐体。
【発明の詳細な説明】
【０００１】
【発明の属する技術分野】
本発明は、サーバー等の電子機器の筐体に関し、特に放熱効率を高めた筐体に関するものである。
【０００２】
【従来の技術】
近年、例えばサーバー等の電子機器においては、高性能化とともに小型化（省スペース化）が著しい。そして、電子機器の小型化に伴い、設置の自由度が増えている。
【０００３】
【発明が解決しようとする課題】
前述の従来の技術において、電子機器の小型化が進むほど、放熱対策を十分に行う必要がある。これは、容積の大きな電子機器の場合には、筐体の表面積が大きいので自然放熱が十分に行われるが、小型のものでは十分な放熱を行うことが困難となるためである。
【０００４】
例えば、十分な放熱のために、通気口（吸気口及び排気口）を大きくすることが考えられる。しかし、このようにした場合、電子機器内部に異物が混入等するおそれがある。よって、通気口の大きさを必要以上に大きくすることはできない。また、小型化が進めば、電子機器の設置場所等の制約が少なくなるので、それに伴って、例えば棚に複数の電子機器を並設すること等が可能となる。しかし、このような場合には、電子機器の通気口が塞がれてしまい、さらに放熱効率が低下するという問題があった。
【０００５】
したがって、本発明が解決しようとする課題は、特に小型化した電子機器において、どのように設置されても十分な通気口を確保することができるようにし、放熱効率の高い電子機器の筐体を提供することである。
【０００６】
【課題を解決するための手段】
本発明は、以下の解決手段によって、上述の課題を解決する。
請求項１の発明は、電子部品を収容し、外形が直方体に形成された本体と、前記本体の少なくとも一部を覆うカバーとを備える電子機器の筐体であって、前記本体は、吸気口を有する本体第１外面と、前記本体第１外面に対向する外面であって排気口を有する本体第２外面と、前記本体第１外面及び前記本体第２外面と異なる外面であり、他の対向し合う本体第３外面及び本体第４外面とを備え、前記カバーは、前記本体第１外面上の少なくとも一部及び前記本体第２外面上の少なくとも一部をそれぞれ覆うカバー第１壁及びカバー第２壁を備え、前記カバー第１壁の一部、及び前記カバー第２壁の一部に、それぞれ吸気口及び排気口を有し、前記カバー第１壁及び前記カバー第２壁は、それぞれ前記本体第１外面上及び前記本体第２外面上に空隙を形成するとともに、前記カバー第１壁及び前記カバー第２壁が存在しない前記本体第３外面及び前記本体第４外面側に、前記空隙による通気口を形成し、前記本体第１外面の前記吸気口又は前記本体第２外面の前記排気口の少なくとも一方、並びに前記カバー第１壁の前記吸気口及び前記カバー第２壁の前記排気口は、それぞれスリット状の開口部が複数並設されたものであり、前記本体第１外面の前記吸気口と前記カバー第１壁の前記吸気口、又は前記本体第２外面の前記排気口と前記カバー第２壁の前記排気口の少なくとも一方の組合せにおいては、それぞれ前記スリット状の開口部の長手方向が異なる方向となるように配置されていることを特徴とする。
【００１０】
請求項２の発明は、請求項１に記載の電子機器の筐体において、前記カバー第１壁及び前記カバー第２壁の外面側には、それぞれ所定の高さを有する脚部が設けられていることを特徴とする。
【００１２】
【発明の実施の形態】
以下、図面等を参照して、本発明の一実施形態について説明する。以下の実施形態では、電子機器の一実施形態として、サーバーを例に挙げて説明する。
図１は、本実施形態におけるサーバーの筐体１を示す外観斜視図である。また、図２は、図１のサーバーの筐体１の分解斜視図である。さらに、図３、図４及び図５は、図１中、それぞれＸ、Ｙ及びＺ方向から見た矢視図である。なお、図１〜図５において、カバー２０に設けられた吸気口２１及び排気口２２は、図２においてのみ図示し、図１及び図３〜図５においては図示を省略する。
【００１３】
サーバーの筐体１は、本体１０とカバー２０とから構成された２重構造体である。本体１０は、内部に電子部品を収納したものであり、外形が略直方体（略箱状体）に形成されている。
図２において、本体１０の対向し合う側面１０ａ及び１０ｂは、それぞれ本発明における本体第３外面及び本体第４外面であり、接続端子面である。図示しないが、これらの側面１０ａ（本体第３外面）及び側面１０ｂ（本体第４外面）には、それぞれＡＣ電源口、ＲＳ２３２Ｃ、ＵＳＢ、ＬＡＮ、ＩＥＥＥ１３９４等の各コネクタ端子が設けられている。
【００１４】
また、他の対向し合う側面１０ｃ及び１０ｄは、それぞれ本発明における本体第１外面及び本体第２外面である。側面１０ｃ（本体第１外面）には、ファンを有する略円形状の吸気口１１が形成されている。
また、側面１０ｄ（本体第２外面）には、スリット状の開口部を複数並設した排気口１２が形成されている。
【００１５】
カバー２０は、本体１０の少なくとも一部を覆うものであり、上カバー２０Ａ及び下カバー２０Ｂとから構成されている。これらの上カバー２０Ａ及び下カバー２０Ｂは、断面が略凹状に形成された板状体である。
図２において、上カバー２０Ａ及び下カバー２０Ｂの側壁２３は、本発明におけるカバー第１壁である。また、上カバー２０Ａ及び下カバー２０Ｂの側壁２４は、本発明におけるカバー第２壁である。
【００１６】
上カバー２０Ａ及び下カバー２０Ｂの側壁２３の外縁部２３ａ同士、及び上カバー２０Ａ及び下カバー２０Ｂの側壁２４の外縁部２４ａ同士がそれぞれ略接触するように、上カバー２０Ａ及び下カバー２０Ｂが本体１０を覆う。
このとき、図２中、上下方向においては、上カバー２０Ａ及び下カバー２０Ｂの内部に本体１０が略隙間なく収納される。すなわち、上カバー２０Ａの上壁２５と本体１０の上面１０ｅとが略接触し、下カバー２０Ｂの下壁２６と本体１０の下面１０ｆとが略接触する。
【００１７】
上カバー２０Ａ及び下カバー２０Ｂには、それぞれ吸気口２１及び排気口２２が形成されている。図２中、下カバー２０Ｂの吸気口２１は本体１０によって見えないが、下カバー２０Ｂにおいても上カバー２０Ａと同様に吸気口２１が形成されている。
【００１８】
これらの吸気口２１及び排気口２２は、スリット状の開口部を並設したものであり、それぞれ上カバー２０Ａ及び下カバー２０Ｂの略中央部に形成されている。上カバー２０Ａにおいては、吸気口２１及び排気口２２は、上壁２５と側壁２３及び２４の一部に位置するように形成されている。同様に、下カバー２０Ｂにおいても、吸気口２１及び排気口２２は、下壁２６と側壁２３及び２４の一部に位置するように形成されている。
【００１９】
ここで、カバー２０側の排気口２２は、本体１０側の排気口１２とスリット状の開口部の長手方向が異なる方向となるように形成されている。すなわち、図２において、本体１０側の排気口１２のスリット状の開口部は、その長手方向が図２中、横方向であるのに対し、カバー２０側の排気口２２のスリット状の開口部は、その長手方向が図２中、上下方向である。このようにすることにより、粉塵等の混入をより効果的に防止することができる。
【００２０】
なお、本実施形態では、本体１０の吸気口１１は、ファンを取り付けているため略円形状に開口されたものであるが、このようなファンによる強制空冷によることなく、ファンを用いない自然空冷による場合には、本体１０の吸気口１１においても排気口１２と同様のスリット状の開口部とすることが好ましい。
【００２１】
本体１０にカバー２０が取り付けられた状態では、本体１０の側面１０ｃとカバー２０の側壁２３との間、及び本体１０の側面１０ｄとカバー２０の側壁２４との間は、所定の間隙（例えば５〜１０ｍｍ程度、あるいはそれ以上）を有する。これにより、本体１０とカバー２０との間には空隙が形成される。
【００２２】
そして、本体１０にカバー２０を取り付けたときは、本体１０の側面１０ａ及び１０ｂ側には、カバー２０の側壁は存在しない。これにより、カバー２０の側壁２３及び２４の対向する２端部側には、開口部２（図１、図３及び図４中、斜線部）が形成される。この開口部２と、本体１０とカバー２０との間の空隙が筐体１の通気口（ダクト部）となる。
【００２３】
本実施形態では、開口部２を形成するに際し、上カバー２０Ａの上壁２５及び下カバー２０Ｂの下壁２６の４角部を斜めに切り欠いている。これにより、カバー２０の４角部の突出をなくすことができ、安全性を高めることができる。
【００２４】
さらに上記のように形成することで、図４に示すように、カバー２０の側壁２４の開口部２側の外縁Ａは、本体１０の側面１０ｄの開口部２側の外縁Ｂより内側に位置している。カバー２０の側壁２３の開口部２側の外縁と、本体１０の側面１０ｃの開口部２側の外縁との関係も同様である。これにより、開口部２の開口面積を広くすることができる。
【００２５】
さらに、図１等に示すように、カバー２０の４か所には、脚部３０が取り付けられる。脚部３０は、凹状に形成されており、上カバー２０Ａの上壁２５、側壁２３及び２４、並びに下カバー２０Ｂの下壁２６にわたって取り付けられる。これにより、図１に示すように設置された場合の他、縦向きに（図１の状態から９０度筐体１を起こして）設置された場合のいずれでも、脚部３０が設置面に付くようになる。よって、カバー２０が直接設置面に付くことはない。
【００２６】
さらに、図１に示すように筐体１が配置され、かつ複数の筐体１が横方向に並設された場合や、複数の筐体１が上に積まれた場合には、筐体１間の脚部３０同士が当接する。よって、隣接する筐体１間において、カバー２０の側壁２３及び２４間には一定の隙間が形成される。したがって、カバー２０側の吸気口２１及び排気口２２が完全に塞がれてしまうことはない。
【００２７】
また、例えば図１中、筐体１の奥側が壁に近接して設置されたときや、筐体１の奥側及び一側面が近接するように壁のコーナー部分に設置されたときには、その壁側の開口部２の通気は不十分になる。しかし、図１中、手前側の２つの開口部２（吸気側及び排気側）は塞がれていないので、十分な吸気及び排気を行うことができる。このように、上カバー２０Ａの上壁２５及び下カバー２０Ｂの下壁２６の４角部を斜めに切り欠いて筐体１の４角部に開口部２を形成しているので、筐体１がどのように設置されても通気口が確保され、高い放熱効果を有する。
【００２８】
以上、本発明の一実施形態について説明したが、本発明は、上述した実施形態に限定されることなく、例えば以下のような種々の変形が可能である。
（１）本実施形態では、電子機器としてサーバーを例に挙げたが、これに限られるものではない。例えば、他の電子機器としては、パーソナルコンピュータ本体、オーディオ機器のアンプ、情報記録媒体（ＣＤ、ＤＶＤ等）の情報読取り装置が挙げられ、これらの電子機器についても本発明を適用することができる。
【００２９】
（２）本実施形態では、上カバー２０Ａの上壁２５及び下カバー２０Ｂの下壁２６の４角部を斜めに切り欠いたが、これに限られない。例えば、図６（ａ）に示すように略Ｌ形に切り欠くことも可能であり、また、同図（ｂ）に示すように円弧状に切り欠くことも可能である。
（３）さらに、例えば開口部２にネット等を設けて、より防塵効果を高めることもできる。
【００３０】
【発明の効果】
本発明によれば、電子機器の筐体がどのように設置されても、吸気側及び排気側の２つの開口部が塞がれないようにしたので、十分な吸気及び排気を行うことができる。これにより、放熱効率の高い電子機器の筐体を提供することができる。
【図面の簡単な説明】
【図１】  本実施形態におけるサーバーの筐体を示す外観斜視図である。
【図２】  図１のサーバーの筐体の分解斜視図である。
【図３】  図１中、Ｘ方向から見た矢視図である。
【図４】  図１中、Ｙ方向から見た矢視図である。
【図５】  図１中、Ｚ方向から見た矢視図である。
【図６】  本実施形態の変形例を示す図である。
【符号の説明】
１  筐体
２  開口部
１０  本体
１０ａ  側面（本体第３外面）
１０ｂ  側面（本体第４外面）
１０ｃ  側面（本体第１外面）
１０ｄ  側面（本体第２外面）
１１  吸気口
１２  排気口
２０  カバー
２０Ａ  上カバー
２０Ｂ  下カバー
２１  吸気口
２２  排気口
２３  側壁（カバー第１壁）
２４  側壁（カバー第２壁）
２５  上壁
２６  下壁
３０  脚部
【図１】
0004476508.tif 000002
【図２】
0004476508.tif 000003
【図３】
0004476508.tif 000004
【図４】
0004476508.tif 000005
【図５】
0004476508.tif 000006
【図６】
0004476508.tif 000007